(57)【要約】      （修正有）【課題】収納棚もないような狭いトイレでは、生理用ナプキンの置き場もなく前もって準備していかなくてはならない。準備し忘れた時の精神的な苦痛を解消するため、便座脇の壁に取り付けて、コンパクトなのにたくさんストックできて使いやすいプラスチック製薄型壁掛け式の生理用ナプキン収納ケースを提供する。【解決手段】薄型壁掛け式なので場所をとらず、コンパクトなのにたくさんストックできる上、ストックするものの大きさを調節できるようにするとともに荷崩れを防止する移動式仕切り板３をつけてあるので、何時でもすぐ使えて安心できる。また、取り出し口がスライド式で焦げ茶色の透視性２なので、残量はわかるが外側からは中身があまり目立たないように配慮してある。ユニットバスで壁に取り付けられない場合は、床置き用の補助足５を取り付けて使用できる。【選択図】  図１
2004315078.tif 000002
【特許請求の範囲】
【請求項１】
生理用ナプキンを、コンパクトなのにたくさんストックできて、しかも出し入れ簡単な薄型壁掛け式収納ケース。（ユニットバスで壁に取り付けられない場合は、床置き用の補助足を取り付けて使用する）。またポケットティッシュの薄型壁掛け式収納ケースにもなる。
【発明の詳細な説明】
【０００１】
【発明の属する技術分野】
本発明はトイレの便座脇の壁に取り付けて生理用ナプキンをストックし、出し入れ簡単で何時でもすぐ使えて安心でき、生理時の女性の悩みを軽減できる。またサイズが近いので、玄関脇などの壁に取り付けてポケットティッシュをストックし、出かける前に手軽に準備するのにも使える。
【０００２】
【従来の技術】
従来は、コンパクトなのにたくさんストックできて、しかも出し入れ簡単な生理用ナプキンの薄型壁掛け式収納ケースはなかった。
【０００３】
【特許文献】
【０００４】
【発明が解決しようとする課題】
収納棚もないような狭いトイレでは生理用ナプキンの置き場もなく前もって準備していかなければならない。準備し忘れた時の精神的な苦痛は大である為、これを解決できる。
【０００５】
【課題を解決するための手段】
薄型壁掛け式なので場所をとらず、コンパクトなのにたくさんストックできるので準備し忘れて困る事もなく、取り出し口がスライド式で便座に座ったまま簡単に生理用ナプキンを出せるので、何時でもすぐ使えて安心できる。
【０００６】
【発明の実施の形態】
以下、本発明の実施の形態について説明する。
（イ）．プラスチック製の収納ケースの前面下半分を上下のスライド式２にする。
（ロ）．スライド式部分を焦げ茶色透視性にして、生理用ナプキン（又はポケットティッシュ）の残量は分かるが、外側からは中身があまり目立たないように配慮する。
（ハ）．収納ケースの中に移動式の仕切り板３をおいて、ストックする物の大きさを調節できるようにするとともに、荷崩れを防止する。
（ニ）．壁取り付け用孔からネジで壁に取り付けて、開閉式上蓋１を開けてストックする物を入れ、下の取り出し口を上下にスライドさせて取り出す。（床置きの場合は滑り止め付きの補助足５を取り付けて、開閉式上蓋を開けて出し入れする）
【０００７】
【発明の効果】
薄型壁掛け式なので狭い場所でも有効に使え、コンパクトなのにたくさんストック出来るので、生理用ナプキンが目立たない形で常備出来るのは、女性
にとって精神的に可成り楽になると思われる。
【図面の簡単な説明】
【図１】本発明の平面図である。
【図２】本発明の断面図である。
【図３】本発明の側面図である。
【符号の説明】
１．開閉式上蓋
２．スライド式取り出し口
３．移動式仕切り板
４．壁取り付け用孔
５．補助足
【図１】
2004315078.tif 000003
【図２】
2004315078.tif 000004
【図３】
2004315078.tif 000005
【手続補正書】
【提出日】平成15年8月4日(2003.8.4)
【手続補正２】
【補正対象書類名】明細書
【補正対象項目名】全文
【補正方法】変更
【補正の内容】
【特許請求の範囲】
【請求項１】壁取り付け用孔４を用いて便座脇の壁に螺子で固定し、生理用ナプキンを開閉式上蓋１から入れて収納ケース６に沢山積んでストックし、収納ケース内に逆Ｔ字形の移動式仕切り板３をおいてストックする物の大きさによって仕切り位置・収納スペースを調節できる様にするとともに荷崩れを防止し、収納ケース６の前面下部分に設けられたスライド式取り出し口２を上下に動かして片手でも簡単に生理用ナプキンを取り出せて、１つ生理用ナプキンを取り出すごとに収納ケース内にストックした生理用ナプキンが上から順次降りてくるので常に定位置へ手を伸ばして生理用ナプキンを取り出す事ができるプラスチック製生理用ナプキン薄型収納ケース。
【請求項２】壁取り付け用孔４を用いて便座脇の壁に螺子で固定し、生理用ナプキンを開閉式上蓋１から入れて収納ケース６に沢山積んでストックし、収納ケース内に逆Ｔ字形の移動式仕切り板３をおいてストックする物の大きさによって仕切り位置・収納スペースを調節できる様にするとともに荷崩れを防止し、収納ケース６の前面下部分に設けられたスライド式取り出し口２を上下に動かして片手でも簡単に生理用ナプキンを取り出せて、１つ生理用ナプキンを取り出すごとに収納ケース内にストックした生理用ナプキンが上から順次降りてくるので常に定位置へ手を伸ばして生理用ナプキンを取り出す事ができ、スライド式取り出し口２を半透明又は透明濃色等の透視性にして、生理用ナプキンの残量は分かるが中身があまり目立たない様に配慮した、プラスチック製生理用ナプキン薄型収納ケース。
【請求項３】トイレがタイル壁やユニットバス等で壁に螺子で取り付けられない場合は、滑り止めのついた補助足５を収納ケース６の下部に取り付けて床置きし、生理用ナプキンを開閉式上蓋１から入れて収納ケース６に沢山積んでストックして、収納ケース内に逆Ｔ字形の移動式仕切り板３をおいてストックする物の大きさによって仕切り位置・収納スペースを調節できる様にするとともに荷崩れを防止し、開閉式上蓋１を開けてストックされた生理用ナプキンを順次上から取り出して使用するプラスチック製生理用ナプキン薄型収納ケース。
【０００１】
【発明の属する技術分野】
本発明はトイレ内の取り出しやすい位置に設置し、狭いスペースでも生理用ナプキンをたくさんストックして何時でもすぐ使える生理用ナプキンの壁取り付け・床置き兼用薄型収納ケースである。
【０００２】
【従来の技術】
従来は、生理用ナプキンを前もって準備して行かなくてはならず、その都度手間がかかっていた。収納棚もないような狭いトイレであってもコンパクトに生理用ナプキンをたくさんストックでき、壁に固定されて安定した出し入れが片手でも簡単にできる生理用ナプキンの薄型壁取り付け式収納ケースはなかった。また、タイル壁やユニットバスなどで壁に取り付け難い場合は床置き式が可能で狭いスペースでも清潔かつ有効に活用でき、出し入れ簡単な生理用ナプキン収納ケースはなかった。
【０００３】
【発明が解決しようとする課題】
収納棚もないような狭いトイレでは生理用ナプキンの置き場もなく前もって準備していかなければならない。準備し忘れた時の精神的な苦痛は大である為、これを解決する。生理用ナプキンを使用する際の煩わしさや時間・手間も軽減する。また、螺子による壁取り付けができないタイル壁やユニットバス等の場合でも、床置きできる収納ケースによってナプキンの収納スペースを確保する。
【０００４】
【課題を解決するための手段】
本発明は薄型生理用ナプキン収納ケースなのでコンパクトだがたくさん生理用ナプキンをストックでき、準備し忘れて困る事もなく何時でもすぐ使えて安心できる。収納ケース内に逆Ｔ字形の移動式仕切り板３をおいてストックする物の大きさによって仕切り位置・収納スペースを調節できる様にするとともに荷崩れが防止されているので、昼用・夜用など様々なサイズの生理用ナプキンを二列に区分けして収納でき、左右のストック量に偏りが生じても荷崩れする心配なく取り出せる。壁取り付け式の場合は、収納ケースを螺子で壁に固定して、前面下部分に設けられた取り出し口を上下に動かすスライド式にする事で片手でも簡単に安定した出し入れが可能になり、１つナプキンを取り出すごとに収納ケース内にストックしたナプキンが上から順次降りてくるので常に定位置へ手を伸ばしてナプキンを取り出す事ができ、生理用ナプキンを使用する際の煩わしさや時間・手間を軽減できる。床置き式の場合も、上蓋からの生理用ナプキンの出し入れが簡単で狭いスペースを有効に活用でき、補助足を使えば収納ケースは床の汚れや水から守られる。
【０００５】
【発明の実施の形態】
以下、本発明の実施の形態について説明する。
プラスチック製の収納ケース６の前面下部分に上下のスライド式取り出し口２を設ける。収納ケース６の中に移動式仕切り板３をおいて、昼用・夜用などストックする物の大きさによって仕切り位置・収納スペースを調節して生理用ナプキンを二列に区分けして収納するとともに、荷崩れを防止する。壁取り付け式の場合は、壁取り付け用孔４から螺子で収納ケース６を壁に取り付けて、蝶番等を用いた開閉式上蓋１から生理用ナプキンを入れて収納ケース６内に積んでストックし、スライド式取り出し口２を上下にスライドさせて取り出す。１回取り出すごとに収納ケース６にストックした生理用ナプキンが上から順次降りてくるので、常に定位置から片手で取り出せる。スライド式取り出し口２を半透明又は透明濃色（焦げ茶色など）等の透視性にして、生理用ナプキンの残量は分かるが中身があまり目立たない様に配慮する。タイル壁やユニットバス等で壁に取り付けられない場合は補助足５を取り付けて床置きし、生理用ナプキンを開閉式上蓋１から入れて収納ケース６内に積んでストックし、開閉式上蓋１から生理用ナプキンを上から順次取り出して使用する。補助足５には細かい凹凸又はゴム等の滑り止めをつけ、生理用ナプキンを取り出す際に多少の接触があっても設置場所がずれにくくする。生理用ナプキン薄型収納ケースの各部分は先端を丸くして、手をぶつけて痛みを生じたり生理用ナプキンの薄い包装部分が引っかかったり破れたりすることなくスムーズに取り出せる。また、サイズ・形状が近いので生理用ナプキンだけでなくポケットティッシュも収納できる。
【０００６】
【発明の効果】
薄型収納ケースなので狭い場所でも有効に使えてコンパクトなのにたくさんストックでき、スライド式取り出し口が半透明又は透明濃色などの透視性にしてあるので生理用ナプキンが目立たない形で常備出来るのは、女性にとって精神的に可成り楽になると思われる。また、常備した生理用ナプキンを座ったまま取り出す事ができ、生理用ナプキンを使用する際の煩わしさや時間・手間も軽減できる。収納ケース内に逆Ｔ字形の移動式仕切り板があるのでストックする物の大きさによって仕切り位置・収納スペースを調節して、昼用・夜用など様々なサイズの生理用ナプキンを二列に区分けして収納でき、左右のストック量が偏っても荷崩れが生じない。壁取り付け式にする場合は収納ケースが壁に螺子で固定され、取り出し口がスライド式なので片手でも簡単に安定した出し入れが可能で、生理用ナプキンを１つ取り出すごとに収納された生理用ナプキンが順次下へ降りてくるので、ストック量が変化しても常に定位置から取り出す事ができて使い易い。床置き式にする場合は補助足を使うことで床の汚れや水から収納ケースが守られ、一番手の届き易い任意の場所に設置して生理用ナプキンの収納スペースを確保できる。補助足には細かい凹凸又はゴム等の滑り止めがついているので生理用ナプキンを取り出す際に多少の接触があっても設置場所がずれにくくなっている。
【図面の簡単な説明】
【図１】本発明の正面図である。
【図２】本発明の断面図である。
【図３】本発明の側面図である。
【符号の説明】
１．開閉式上蓋
２．スライド式取り出し口
３．移動式仕切り板
４．壁取り付け用孔
５．補助足
６．収納ケース


【手続補正３】
【補正対象書類名】図面
【補正対象項目名】全図
【補正方法】変更
【補正の内容】
【図１】
2004315078.tif 000006
【図２】
2004315078.tif 000007
【図３】
2004315078.tif 000008